(57)【要約】【課題】  組立作業が容易でＳＤカードをコネクタに確実に接続すること。【解決手段】  ＳＤカード４を挿入するための挿入口８がフロントパネル１Ａに形成され、ボトムシャーシ１Ｂの一方の側板１ｂに止着された縦板１０ａと該縦板１０ａの上端から折れ曲がって水平に延びる横板１０ｂとを有する金属製連結枠１０が設けられ、前記横板１０ｂから一対のロック片１２が切り出され、該両ロック片１２に対向してフロントパネル１Ａの上端縁から後方に延びる突出片１３にロック孔１４が貫設され、連結枠１０の横板１０ｂからガイド片２５が切り起こされ、該ガイド片２５に対向して突出片１３にガイド基準面２６ａが形成されており、該ガイド基準面２６ａをガイド片２５に当接させて摺動させることにより、ロック孔１４を両ロック片１２に嵌合させ、フロントパネル１Ａをボトムシャーシ１Ｂに取り付けるようにした。【選択図】        図１
2011003619.tif 000002
【特許請求の範囲】
【請求項１】
フロントパネル、ボトムシャーシ及びトップカバーからなる筐体内に電子機器本体とコ
ネクタとが収納され、該コネクタに対向してフロントパネルに接続部品を挿入するための
挿入口が形成され、ボトムシャーシの一方の側板に止着された縦板と該縦板の上端から折
れ曲がって水平に延びる横板とを有する金属製連結枠が設けられ、前記横板から一対のロ
ック片が切り出され、該両ロック片に対向してフロントパネルの上端縁から後方に延びる
突出片にロック孔が貫設されており、該ロック孔を両ロック片に嵌合させることにより、
フロントパネルをボトムシャーシに取り付け、接続部品を挿入口を通ってコネクタに接続
するようにしたディスク装置において、前記連結枠の横板からガイド片が切り起こされ、
該ガイド片に対向して前記突出片にガイド基準面が形成されており、該ガイド基準面をガ
イド片に当接させてロック孔を両ロック片に対向させ、そのガイド基準面をガイド片に沿
って摺動させることにより、ロック孔を両ロック片に嵌合させ、フロントパネルをボトム
シャーシに取り付けるようにしたことを特徴とする電子機器。
【請求項２】
前記連結枠の縦板の下端から折れ曲がってボトムシャーシの底板に沿って延びる基板が
設けられ、該基板上にコネクタが止着されていることを特徴とする請求項１に記載の電子
機器。
【発明の詳細な説明】
【技術分野】
【０００１】
本発明は、例えばＳＤカード、ＵＳＢメモリー、ＨＤＭＩ端子などの接続部品を接続す
るためのコネクタを備えた電子機器に関し、特に、組立作業が容易で接続部品をコネクタ
に確実に接続することができるようにしたものである。
【背景技術】
【０００２】
従来、電子機器の一例として図６〜図８に示すものがあり、これはＳＤコネクタ付きデ
ィスク装置（例えばＢｌｕ−ｒａｙ  Ｄｉｓｃ式のレコーダまたはプレーヤ）であって、
図６は同一部切欠き斜視図、図７は同要部の分解斜視図、図８は同縦断面図である。
【０００３】
図６〜図８に示すように、筐体１内に、Ｂｌｕ−ｒａｙ  Ｄｉｓｃ式のディスク２の再
生や録画を行なうためのディスク装置本体（電子機器本体）３と、ＳＤカード（接続部品
）４を接続するためのコネクタ５とを収納している。
【０００４】
前記筐体１は、合成樹脂製フロントパネル１Ａと、金属板製ボトムシャーシ１Ｂ及びト
ップカバー１Ｃとを有し、ボトムシャーシ１Ｂ上にプリント配線基板からなる制御基板６
がビス止めされている。
【０００５】
前記コネクタ５は、金属枠体製スロット部５ａをプリント配線基板からなるコネクタ基
板５ｂ上に固定したものであって、該コネクタ基板５ｂが制御基板６上の所定位置にビス
７により止着され、そのスロット部５ａに対向してフロントパネル１ＡにＳＤカード４を
挿入するための挿入口８が形成されている。なお、図６中、９はディスク２を挿入するた
めの挿入口である。
【０００６】
図６〜図８に示すように、ボトムシャーシ１Ｂの底板１ａの両側縁から上向きに折れ曲
がって延びる両側板１ｂ，１ｃのうち、その一方の側板１ｂに金属製連結枠１０が係止さ
れており、該連結枠１０は、一方の側板１ｂにビス１１止めされた縦板１０ａと、該縦板
１０ａの上端から折れ曲がって水平に延びる横板１０ｂとを有し、該横板１０ｂから一対
のロック片１２が切り出され、該両ロック片１２に対向してフロントパネル１Ａの上端縁
から後方に延びる弾性変位可能な突出片１３にロック孔１４が貫設されている。
【０００７】
図６に示すように、ディスク装置本体３の前部上面に一対の係止片１５が一体突設され
、該両係止片１５に対向してフロントパネル１Ａの上端縁から後方に延びる突起片１６に
係止孔１７が形成され、図７に示すように、ボトムシャーシ１Ｂの一方の側板１ｂから一
対の係止片１８が切り出され、該両係止片１８に対向してフロントパネル１Ａから後方に
延びる側板１９に係止孔２０が貫設され、図８に示すように、ボトムシャーシ１Ｂの底板
１ａの前部から下向き後方に延びる弾性変位可能は係止片２１が切り出され、該係止片２
１に対向してフロントパネル１Ａの下端縁から後方に延びる脚板２２に係止孔２３が貫設
されている。
【０００８】
筐体１の組立手順を説明すると、フロントパネル１Ａを把持し、該フロントパネル１Ａ
を前後方向ａ，ｂに沿ってボトムシャーシ１Ｂの前部に向けて接近させ、ボトムシャーシ
１Ｂ側の係止片１５，１８，２１に対してフロントパネル１Ａ側の係止孔１７，２０，２
３を嵌合させると共に、連結枠１０の両ロック片１２に対してフロントパネル１Ａ側のロ
ック孔１４を嵌合させることにより、該フロントパネル１Ａをボトムシャーシ１Ｂに取り
付けると共に、そのフロントパネル１Ａ及びボトムシャーシ１Ｂにトップカバー１Ｃを取
り付ける。なお、関連する技術として特許文献１に記載したものがある。
【先行技術文献】
【特許文献】
【０００９】
【特許文献１】特開２０００−１３８４６４号公報
【発明の概要】
【発明が解決しようとする課題】
【００１０】
上記従来の構成では、連結枠１０の両ロック片１２にフロントパネル１Ａ側のロック孔
１４を嵌合させる際に、ガイドするものがないため、その嵌合に手間取ることがあり、組
立作業が面倒である。
【００１１】
図７に示すように、両ロック片１２の横幅ｔ１がロック孔１４の横幅ｔ２よりも小さく
設定されており（ｔ１＜ｔ２）、その両者を嵌合させた状態では、前後方向ａ，ｂとは直
交する横幅方向ｃ，ｄに沿って両ロック片１２とロック孔１４との間に隙間が生じている
から、その隙間によって、フロントパネル１Ａがボトムシャーシ１Ｂに対して横幅方向ｃ
，ｄに沿って左または右方向に位置ずれされることがあり、これによって、挿入口８の位
置が横幅方向ｃ，ｄに沿って左または右方向に位置ずれされることがある。
【００１２】
また、コネクタ５が連結枠１０に連結されていないから、コネクタ５の位置も横幅方向
ｃ，ｄに沿って左または右方向に位置ずれされることがある。
【００１３】
要するに、挿入口８とコネクタ５とがそれぞれ横幅方向ｃ，ｄに沿って左または右方向
に位置ずれされることがあり、その位置ずれにより、ＳＤカード４を挿入口８を通ってコ
ネクタ５に差し込み難くなると共に、そのＳＤカード４をコネクタ５に確実に接続するこ
とができなくなるおそれがある。
【００１４】
本発明は、上記従来の欠点に鑑み、組立作業が容易で接続部品をコネクタに確実に接続
することができるようにした電子機器を提供することを目的としている。
【課題を解決するための手段】
【００１５】
上記目的を達成するため、請求項１に記載の発明は、フロントパネル、ボトムシャーシ
及びトップカバーからなる筐体内に電子機器本体とコネクタとが収納され、該コネクタに
対向してフロントパネルに接続部品を挿入するための挿入口が形成され、ボトムシャーシ
の一方の側板に止着された縦板と該縦板の上端から折れ曲がって水平に延びる横板とを有
する金属製連結枠が設けられ、前記横板から一対のロック片が切り出され、該両ロック片
に対向してフロントパネルの上端縁から後方に延びる突出片にロック孔が貫設されており
、該ロック孔を両ロック片に嵌合させることにより、フロントパネルをボトムシャーシに
取り付け、接続部品を挿入口を通ってコネクタに接続するようにしたディスク装置におい
て、前記連結枠の横板からガイド片が切り起こされ、該ガイド片に対向して前記突出片に
ガイド基準面が形成されており、該ガイド基準面をガイド片に当接させてロック孔を両ロ
ック片に対向させ、そのガイド基準面をガイド片に沿って摺動させることにより、ロック
孔を両ロック片に嵌合させ、フロントパネルをボトムシャーシに取り付けるようにしたこ
とを特徴としている。
【００１６】
請求項２に記載の発明は、請求項１に記載の発明において、前記連結枠の縦板の下端か
ら折れ曲がってボトムシャーシの底板に沿って延びる基板が設けられ、該基板上にコネク
タが止着されていることを特徴としている。
【発明の効果】
【００１７】
請求項１に記載の発明によれば、連結枠のガイド片にフロントパネル側のガイド基準面
を当接させて、該ガイド基準面をガイド片に沿って摺動させることにより、連結枠の両ロ
ック片にフロントパネル側のロック孔を自動的に嵌合させて、フロントパネルをボトムシ
ャーシに所定通り能率的に取り付けることができる。
【００１８】
請求項２に記載の発明によれば、フロントパネル側のガイド基準面を連結枠のガイド片
に当接させることにより、該連結枠を基準にしてフロントパネルの挿入口が所定通りに位
置決めされると共に、その連結枠にコネクタを止着することにより、その連結枠を基準に
してコネクタが所定通りに位置決めされており、要するに、連結枠を基準にして挿入口と
コネクタとが位置決めされているから、その挿入口を通ってコネクタに接続部品を円滑に
差し込んで、その接続部品をコネクタに確実に接続することができる。
【図面の簡単な説明】
【００１９】
【図１】本発明の実施の一形態である電子機器の要部の分解斜視図である。
【図２】同コネクタ付近の分解斜視図である。
【図３】同縦断面図である。
【図４】図３のＡ−Ａ矢視図である。
【図５】図３のＢ−Ｂ矢視図である。
【図６】従来例を示す一部切欠き斜視図である。
【図７】同要部の分解斜視図である。
【図８】同縦断面図である。
【発明を実施するための形態】
【００２０】
図１〜図５は本発明の実施の一形態である電子機器を示すものであり、これはＳＤコネ
クタ付きディスク装置（例えばＢｌｕ−ｒａｙ  Ｄｉｓｃ式のレコーダまたはプレーヤ）
であって、連結枠１０の横板１０ｂからガイド片２５が切り起こされ、該ガイド片２５に
対向して突出片１３の側部を切欠いて凹部２６が形成され、該凹部２６の内側縁がガイド
基準面２６ａとされている。
【００２１】
図５に示すように、ガイド基準面２６ａは、突出片１３の先端から基端に向けて前後方
向ａ，ｂから所定の傾斜角度α（例えば１０°）で側方にわずかに傾斜されており、フロ
ントパネル１Ａをボトムシャーシ１Ｂの前部に向けて矢印ａ方向に接近させたときに、そ
のガイド基準面２６ａをガイド片２５の側縁に接触させることにより、ロック孔１４がロ
ック片１２に対向される。
【００２２】
図１〜図４に示すように、連結枠１０の縦板１０ａの下端から折れ曲がって筐体１内に
延びる基板１０ｃが設けられ、該基板１０ｃは、縦板１０ａの下端から水平に折れ曲がる
上段板２８と、該上段板２８の先端から下向きに折れ曲がるコネクタ位置決め板２９と、
該コネクタ位置決め板２９の下端から水平に折れ曲がるコネクタ載置板３０とを有し、該
コネクタ載置板３０の中央部を下向きに折り曲げて支持枠３１が形成され、該支持枠３１
の底板部３１ａの側縁前端から下向きに掛止片３１ｂが切り出され、該掛止片３１ｂに対
向してボトムシャーシ１Ｂの底板１ａに掛止孔３２が貫設され、コネクタ載置板３０にビ
ス孔３３が形成されている。
【００２３】
図２に示すように、ボトムシャーシ１Ｂの一方の側板１ｂから直角に折り曲げられて上
段板２８の下面に当接する取付板３５が設けられ、該取付板３５にビス孔３６が形成され
ると共に、該ビス孔３６に対向して上段板２８にビス挿通孔３７が貫設されている。上記
以外の構成は図６〜図８に示す構成とほぼ同じであるから、同一部分に同一符号を付して
その説明を省略する。
【００２４】
連結枠１０の取付手順を説明すると、掛止片３１ｂを掛止孔３２に差し込み、図２に仮
想線で示すように、その掛止片３１ｂの先端部を直角に折り曲げて底板１ａの下面に掛止
することにより、支持枠３１の底板部３１ａをボトムシャーシ１Ｂの底板１ａ上に載置し
、上段板２８を取付板３５に当接させ、ビス１１をビス挿通孔３７を通ってビス孔３６に
ねじ込むことにより、その上段板２８を取付板３５に止着して、連結枠１０をボトムシャ
ーシ１Ｂに固定する。
【００２５】
コネクタ５の取付手順を説明すると、コネクタ基板５ｂをコネクタ位置決め板２９に沿
ってコネクタ載置板３０上に載置し、ビス７をコネクタ基板５ｂのビス挿通孔３８を通っ
てビス孔３３にねじ込むことにより、コネクタ５を連結枠１０を介してボトムシャーシ１
Ｂ上の所定位置に固定する。
【００２６】
筐体１の組立手順を説明すると、フロントパネル１Ａを把持し、該フロントパネル１Ａ
をボトムシャーシ１Ｂの前部に向けて矢印ａ方向に接近させることにより（図５仮想線参
照）、突出片１３のガイド基準面２６ａをガイド片２５の側縁に接触させ、これにより、
ロック孔１４がロック片１２に対向されるから、その接触状態を維持しながら、フロント
パネル１Ａを矢印ａ方向に押し込むことにより、ロック孔１４がロック片１２に自動的に
嵌合され、それとほぼ同時に、ボトムシャーシ１Ｂ側の係止片１５，１８，２１に対して
フロントパネル１Ａ側の係止孔１７，２０，２３が嵌合される。
【００２７】
上記構成によれば、連結枠１０のガイド片２５にフロントパネル１Ａ側のガイド基準面
２６ａを当接させて（図５参照）、該ガイド基準面２６ａをガイド片２５に沿って摺動さ
せることにより、連結枠１０の両ロック片１２にフロントパネル１Ａ側のロック孔１４を
自動的に嵌合させて、フロントパネル１Ａをボトムシャーシ１Ｂに所定通り能率的に取り
付けることができる。
【００２８】
また、フロントパネル１Ａ側のガイド基準面２６ａを連結枠１０のガイド片２５に当接
させることにより、該連結枠１０を基準にしてフロントパネル１Ａの挿入口８が所定通り
に位置決めされると共に、その連結枠１０にコネクタ５を止着することにより、その連結
枠１０を基準にしてコネクタ５が所定通りに位置決めされており、要するに、連結枠１０
を基準にして挿入口８とコネクタ５とが位置決めされているから、その挿入口８を通って
コネクタ５にＳＤカード４を円滑に差し込んで、そのＳＤカード４をコネクタ５に確実に
接続することができる。
【産業上の利用可能性】
【００２９】
上記実施の形態では、ＳＤコネクタ付きディスク装置を例にあげて説明したが、これに
限定されるわけではなく、例えばＵＳＢメモリー、ＨＤＭＩ端子などの接続部品を接続す
るためのコネクタを備えた各種の電子機器にも適用される。
【符号の説明】
【００３０】
１          筐体
１Ａ        フロントパネル
１Ｂ        ボトムシャーシ
１Ｃ        トップカバー
１ａ        ボトムシャーシの底板
３          ディスク装置本体（電子機器本体）
４          ＳＤカード（接続部品）
５          コネクタ
８          挿入口
１０        連結枠
１０ａ      連結枠の縦板
１０ｂ      連結枠の横板
１０ｃ      連結枠の基板
１２        ロック片
１３        突出片
１４        ロック孔
２５        ガイド片
２６        凹部
２６ａ      ガイド基準面
【図１】
2011003619.tif 000003
【図２】
2011003619.tif 000004
【図３】
2011003619.tif 000005
【図４】
2011003619.tif 000006
【図５】
2011003619.tif 000007
【図６】
2011003619.tif 000008
【図７】
2011003619.tif 000009
【図８】
2011003619.tif 000010